(57)【要約】【課題】航空機等の移動体内におけるリクライニング機能を有する座席に設置された端末モニタ装置と視聴者との距離が変化する状況において、視聴者の眼に対して負担を掛けない快適な映像表示システムを提供することを目的とする。【解決手段】端末モニタ装置２０は、リクライニング状態がデフォルト状態では、端末モニタ装置２０の表示デバイス３０５の表示可能な領域全てにおいて表示を行う。次に、端末モニタ装置２０が設置された前方座席１０、もしくは、視聴者３０が着座している座席１１のリクライニング角度の変化が確認され、端末モニタ装置２０と視聴者３０の頭部３０ａが近づいた場合、眼３０ｂによる視聴角度を一定に保つように表示画面３０５ａのサイズを選択する。【選択図】図５
2010285118.tif 000002
【特許請求の範囲】
【請求項１】
映像コンテンツを表示する端末モニタ装置と、
前記端末モニタ装置と視聴者の位置情報を取得する位置情報取得装置とから構成され、
前記端末モニタ装置は、
所定の表示領域を有する表示デバイスと、
少なくとも前記位置情報取得装置より収集した情報から、前記端末モニタ装置と前記視聴者との距離を算出する距離算出部と、
前記距離に基づいて、複数の画面サイズから最適な画面サイズを選択する表示画面選択部と、
前記表示画面選択部により選択された画面サイズで、前記表示領域内に映像コンテンツを表示させる表示制御部とを備えたことを特徴とする映像表示システム。
【請求項２】
前記端末モニタ装置は、背もたれ部を前後に傾けることが可能なリクライニング機能を有する座席の前記背もたれ部に設置されることを特徴とする請求項１に記載の映像表示システム。
【請求項３】
前記位置情報取得装置は、少なくとも座席の前記背もたれ部のリクライニング角度情報を取得可能であることを特徴とする請求項２に記載の映像表示システム。
【請求項４】
前記距離算出部は、前記位置情報取得装置からの情報、前記端末モニタ装置の取り付け位置高さ、座席間距離、推定視聴者頭部高さから、前記端末モニタ装置と視聴者との距離を算出することを特徴とする請求項１に記載の映像表示システム。
【請求項５】
前記表示画面選択部は、算出された前記端末モニタ装置と視聴者との距離情報に基づいて、前記表示デバイスの前記表示領域内に表示する画面サイズを選択することを特徴とする請求項４に記載の映像表示システム。
【請求項６】
表示中の映像コンテンツに対して画面サイズを変更することが視聴者によって有効かどうか判定する表示判定部をさらに備え、有効な場合に、前記表示制御部は前記表示画面選択部の選択結果に従って、画面サイズを変更することを特徴とする請求項１に記載の映像表示システム。
【請求項７】
前記表示判定部は、前記映像コンテンツに付与された適用情報と、選択された画面サイズに基づいて判定を行うことを特徴とする請求項６に記載の映像表示システム。
【請求項８】
前記適用情報は、前記映像コンテンツに対して、選択された表示画面サイズを適用することが、視聴者にとって有効かを示す情報であることを特徴とする請求項７に記載の映像表示システム。
【請求項９】
前記適用情報は、視聴者の眼に掛かる負担、および、疲労度合いに基づいて決定することを特徴とする請求項７または請求項８に記載の映像表示システム。
【請求項１０】
前記表示制御部は、段階的に選択された画面サイズに変更することを特徴とする請求項１に記載の映像表示システム。
【請求項１１】
航空機等の移動体に設置されることを特徴とする請求項１乃至請求項１０のいずれかに記載の映像表示システム。
【発明の詳細な説明】
【技術分野】
【０００１】
本発明は、端末モニタ装置に映像コンテンツを表示する表示システムに関し、詳しくは、端末モニタ装置が航空機や列車等に使用されるリクライニング機能を有する座席の背もたれ部に設置された映像表示システムに関するものである。
【背景技術】
【０００２】
近年、航空機や列車等の移動体では、複数の座席が連続して並び、各座席の背もたれの背面に、端末モニタ装置を設置し、乗客にオンデマンドの映像コンテンツを配信するサービスを行う事例が普及している。この映像表示システムでは、視聴する乗客（以下、視聴者と称する）は自身の座席の前方の座席の背もたれに設置された端末モニタ装置に表示される映像を視聴することになる。
【０００３】
これらの座席は通常リクライニング機能を有しており、背もたれの角度を自由に変えることができだけでなく、中には座席の位置が前後に移動するものもある。
【０００４】
しかしながら、前座席のリクライニング機能は前座席の乗客によってコントロールされるため、突然、前座席の背もたれが傾いたり、移動し、急に端末モニタ装置と視聴者の眼の位置の距離が近づき、あるいは遠ざかり、端末モニタ装置の画面全体の視聴角度が変動し、眼球の移動量が増加することにより、視聴者が眼に負担を感じることがある。このため、眼への負担を軽減できる映像表示システムが要望されている。
【０００５】
従来技術としては、航空機の座席用ディスプレイにおいて、座席の背もたれリクライニング角度を検出して、液晶ディスプレイの輝度、および、コントラストを調整する技術が提案されている（例えば、特許文献１を参照）。
【先行技術文献】
【特許文献】
【０００６】
【特許文献１】特開昭６３−１４２３８７号公報
【発明の概要】
【発明が解決しようとする課題】
【０００７】
従来は、前座席のリクライニング機能が働き、端末モニタ装置が移動した場合、視聴角度が変わったとしても、負担を感じない視聴者は無視できるが、疲労を感じる視聴者は、自身の座席のリクライニング機能を働かせることにより、端末モニタ装置との距離を調整することができる。しかし、この行為は、後方座席の視聴者に影響を与え、同じ状況に陥れることになる。
【０００８】
また、上述の特許文献１に記載された液晶ディスプレイは、画面視角の変化により悪化する視認性を改善するものであるが、液晶表示部の指向性をリクライニング角度に応じて自動補正して、画質が極端に低下しないようにしたものであり、端末モニタ装置と視聴者の眼の位置の距離が近づき、あるいは遠ざかる場合に、端末モニタ装置の画面全体の視聴角度が変動することにより、視聴者が眼に負担を感じることを防止できるものではない。
【０００９】
本発明は、上記の課題を解決するためになされるものであり、航空機等の移動体内におけるリクライニング機能を有する座席に設置された端末モニタ装置において、視聴者の眼に負担を掛けない快適な映像表示システムを提供することを目的とする。
【課題を解決するための手段】
【００１０】
上述したような目的を達成するために、本発明の映像表示システムは、映像コンテンツを表示する端末モニタ装置と、端末モニタ装置と視聴者の位置情報を取得する位置情報取得装置とから構成され、端末モニタ装置は、所定の表示領域を有する表示デバイスと、少なくとも位置情報取得装置より収集した情報から、端末モニタ装置と前記視聴者との距離を算出する距離算出部と、距離に基づいて、複数の画面サイズから最適な画面サイズを選択する表示画面選択部と、表示画面選択部により選択された画面サイズで、表示領域内に映像コンテンツを表示させる表示制御部とを備えたことを特徴とする。
【００１１】
また、距離算出部は、位置情報取得装置からの情報と、端末モニタ装置の取り付け位置高さと、座席間距離と、推定視聴者頭部高さとから，端末モニタ装置と視聴者との距離を算出することを特徴とし、算出された端末モニタ装置位置と視聴者位置との距離情報より表示画面サイズを選択することを特徴とする。
【００１２】
このような構成により、端末モニタ装置と視聴者との距離に応じて、端末モニタ装置に表示する表示画面サイズを最適化することが可能となる。
【００１３】
したがって、端末モニタ装置と視聴者との距離が変化しても、視聴者の視聴角度を同一にした表示画面サイズを提供することができ、本発明の表示システムは、視聴者の眼に掛かる負担を軽減させた表示システムを提供することができる。
【００１４】
本発明の表示システムでは、表示画面サイズ変更を適用することが視聴者にとって有効かを示す適用情報を映像コンテンツ毎に付与し、表示判定部はその時点に視聴者によって視聴されている映像コンテンツの適用情報と選択された表示画面サイズに基づいて、サイズを変更するか判定を行うことを特徴とする。適用情報は、視聴者の眼に掛かる負担、および、疲労度合いに基づいて決定することを特徴とする。
【００１５】
このような構成により、端末モニタ装置が近づくことにより視認性が上がる映像コンテンツにおいては、疲労を増加させることなく、視認性の高い映像表示システムを提供することができる。
【００１６】
また、本発明の表示システムでは、リクライニング機能を有する座席に設置された端末モニタ装置を特徴とする。
【００１７】
これにより、航空機等の移動体において利便性の高い映像表示システムを実現することができる。
【発明の効果】
【００１８】
本発明の表示システムによれば、航空機等の移動体内において、視聴端末モニタ装置が設置された座席が傾けられ、視聴端末モニタ装置が変化しても、端末モニタ装置が最適な画面サイズに調整するため、左右上下方向への視聴角度が変化しないために，視聴者が眼に疲労を感じることなく、長時間、端末モニタ装置を通じて映像コンテンツを視聴することができる。
【図面の簡単な説明】
【００１９】
【図１】航空機の客室内における座席の概略図
【図２】本発明の実施の形態の映像表示システムの装置配置図
【図３】本発明の実施の形態の映像表示システムの端末モニタ装置の構成図
【図４】本発明の実施の形態の映像表示システムの座席のリクライニング状態における端末モニタ装置と視聴者との位置関係を示す説明図
【図５】本発明の実施の形態の映像表示システムの端末モニタ装置の表示例の説明図
【図６】本発明の実施の形態の映像表示システムにおける表示画面のリサイズの手順を示すフローチャート
【発明を実施するための形態】
【００２０】
以下、本発明の実施の形態について、航空機内の座席に設置された端末モニタ装置に適用した一例を挙げて説明する。
【００２１】
（実施の形態１）
本発明の実施の形態１における映像表示システム（以下、本システムと略記する）について、図１〜図６を用いて説明する。
【００２２】
図１は、航空機の客室内における座席の概略図で、図１（ａ）は平面配置図、図１（ｂ）は側面図である。
【００２３】
航空機のような移動体に設置されるリクライニング機能を有する座席は、図１（ａ）のように客室１００に配置されており、例えば、座席１０、１１の背もたれ部１０ａ、１１ａに端末モニタ装置２０、２１が設置されている。そして、視聴者３０は前方座席１０に設置された端末モニタ装置２０、および、自座席１１のヘッドホン４０を利用して、端末モニタ装置２０に配信された映画やゲームのような映像コンテンツを視聴する。
【００２４】
本システムの構成について、図２を用いて説明する。図２は、本システムの主要な装置の配置を示す図である。図２に示すように、本システムは、視聴者の前方座席１０に設置された位置情報取得装置５０と視聴者が着座する座席に設置された位置情報取得装置５１、視聴者が視聴する端末モニタ装置２０を備えた構成である。そして、前方座席１０と自座席１１に設置された位置情報取得装置５０、５１と端末モニタ装置２０は繋がっており、端末モニタ装置２０は接続ライン６０、６１を通じて位置情報取得装置５０、５１の位置情報を受信する。このような構成により、端末モニタ装置２０が設置された座席１０のリクライニング機能の稼動状況と、視聴者３０が着座する座席１１のリクライニング機能の状況を、端末モニタ装置２０が把握することが可能となる。
【００２５】
つぎに、本発明の特徴である端末モニタ装置２０の表示に係わる機能と効果について、図３〜図６を用いて説明する。図３は、本実施の形態の端末モニタ装置の構成図、図４は、座席のリクライニング状態における端末モニタ装置と視聴者との位置関係を示す説明図、図５は、本実施の形態の端末モニタ装置の表示例の説明図、図６は、本実施の形態における表示画面のリサイズの手順を示すフローチャートである。
【００２６】
図３において、端末モニタ装置２０は、大きく制御部２０１と表示部２０２とから構成され、制御部２０１は、位置情報取得装置５０、５１から座席１０、１１の位置情報を入手し、端末モニタ装置２０と視聴者３０との距離を算出する距離算出部３０１と、距離算出部３０１で算出された距離に基づき表示画面のサイズを選択する表示画面選択部３０２と、選択された画面サイズで表示するかどうかを判定する表示判定部３０３と、表示判定部３０３からの指示に従って表示デバイス３０５の表示画面サイズを制御する表示制御部３０４とから構成される。また、表示部２０２は液晶パネルなどの表示デバイス３０５を備え、表示デバイス３０５は映像コンテンツを表示可能な所定の大きさの表示領域を有する。
【００２７】
次に、座席のリクライニング状態における端末モニタ装置と視聴者との位置関係を図４に基づき説明する。図４は代表的な３つの状態を示し、図４（ａ）は、座席１０、１１共、背もたれ部１０ａ、１１ａのリクライニング角度がデフォルト位置にある場合、図４（ｂ）は、座席１０の背もたれ部１０ａのリクライニング角度を大きくした場合、図４（ｃ）は、座席１１の背もたれ部１１ａのリクライニング角度を大きくした場合である。
【００２８】
以下、本システムにおいて、端末モニタ装置２０の表示画面がリサイズされるまでの手順について、図５および図６に基づいて説明する。
【００２９】
まず、本システムにおいて、端末モニタ装置２０は、リクライニング状態が図４（ａ）、すなわちデフォルト状態では図５（ａ）に示す表示画面サイズを有している（ステップＳ１）。この状態では、表示画面サイズは表示デバイス３０５の表示領域全体を占めている。次に、端末モニタ装置２０が設置された前方座席１０、もしくは、視聴者３０が着座している座席１１のリクライニング機能が稼動したか、位置情報取得装置５０、５１からの情報を通して確認を行う（ステップＳ２）。リクライニング角度の変化が確認されなかった場合（「ＮＯ」の場合）、ステップＳ１に戻り、表示画面サイズを保つ。リクライニング角度の変化が確認された場合（「ＹＥＳ」の場合）、以下の手順を実施する。
【００３０】
つぎに、端末モニタ装置２０内の距離算出部３０１が、位置情報取得装置５０、５１から得られたリクライニング角度と座席１０、１１の座席間間隔、端末モニタ装置２０が設置されている高さ、視聴者３０の推定座高を元に、視聴者３０の頭部３０ａと端末モニタ装置２０との距離を算出する（ステップＳ３）。
【００３１】
算出された距離に基づいて、変更する表示画面サイズを表示画面選択部３０２により選択する。表示画面サイズは、端末モニタ装置２０と視聴者３０の頭部３０ａとの距離に応じて、視聴者３０の視聴角度を同一にする表示画面サイズを選択する（ステップＳ４）。
【００３２】
図４（ｂ）は、図４（ａ）の状態から端末モニタ装置２０が設置された座席１０の背もたれ部１０ａが後方に傾けられ、端末モニタ装置２０と視聴者３０の頭部３０ａが近づいた事例を示す。図４（ｃ）は、図４（ａ）の状態から視聴者３０により座席リクライニング機能を稼動させ、端末モニタ装置２０と視聴者３０の頭部３０ａが遠ざかった事例を示す。
【００３３】
図５は、図４で示した事例に対して、表示画面選択部３０２が選択する表示画面３０５ａのサイズを示す。図４（ａ）の事例に対しては、端末モニタ装置２０の表示デバイス３０５の表示可能な領域全てにおいて表示を行う（図５（ａ））。
【００３４】
図４（ｂ）の事例に対しては、図５（ａ）と同じ表示画面サイズでは視聴角度が大きくなり、視聴者３０の眼球移動量が増加することになるため、視聴者３０の眼３０ｂの視聴角度を一定に保つように、表示画面３０５ａのサイズを選択する（図５（ｂ））。図から分るように、図５（ａ）の表示と比べて、表示画面３０５ａのサイズが縮小され、表示デバイス３０５の表示画面３０５ａの周囲に非表示領域３０５ｂが発生する。
【００３５】
一方、図４（ｃ）のような事例に対しては、端末モニタ装置２０の表示可能な領域を超えるため、端末モニタ装置２０の表示可能な最大サイズとして、図４（ａ）と同じ表示画面３０５ａのサイズを選択する。
【００３６】
つぎに、選択された表示画面サイズに変更するかどうか、表示判定部３０３にて判定を行う（ステップＳ５）。視聴中に視聴者３０の視点が画面内を頻繁に動くゲームのような映像コンテンツの場合であれば、端末モニタ装置２０が近づいたとしても、それによって引き起こされる疲労を視聴者３０は感じ難い。端末モニタ装置２０が近づくことにより、映像コンテンツの視認性が上がり、表示画面サイズを変更しない方が効果的となる。
【００３７】
一方、視聴者３０の視点が定まる映画のような映像コンテンツの場合、端末モニタ装置２０が近づくことにより視聴者は疲労を感じ易い。表示画面サイズの変更は視聴者にとって有効かは、映像コンテンツによって変化する。
【００３８】
表示判定部３０３は、映像コンテンツ毎に付与された適用情報と、表示画面選択部３０２により選択された表示画面サイズに基づいて判定を行う。適用情報は、予め、視聴者の眼に掛かる負担、および、疲労度合いに基づいて決定しておく。
【００３９】
表示画面サイズの変更が効果的でないと判断された場合（「ＮＯ」の場合）、ステップＳ１に戻り、表示画面サイズを保つ。表示画面サイズの変更が効果的であると判断された場合（「ＹＥＳ」の場合）、ステップＳ６に進む。
【００４０】
そして、映像を表示画面サイズに合わせて、表示制御部３０４が映像をリサイズして、端末モニタ装置２０内の表示デバイス３０５に表示を行う（ステップＳ６）。最大表示サイズでない場合は、表示部３０５ａ領域の周り（非表示部領域３０５ｂ）を単一色画素で覆った映像を表示する。
【００４１】
これにより、端末モニタ装置２０と視聴者３０との距離が変化しても、端末モニタ装置２０に表示する表示画面サイズを最適化することが可能となり、本システムは、視聴者３０の眼３０ｂに掛かる負担を軽減させる表示システムを提供することができる。
【００４２】
なお、表示画面サイズの変更を急激に行わず、段階的に行うようにすれば、視聴者３０の眼３０ｂに掛かる負担をさらに軽減することができる。
【００４３】
以上の通り、本発明による表示システムを使用すれば、航空機等の移動体内に設置されたリクライニング機能を有する座席に設定された個人用の端末モニタ装置において、視聴者の眼に負担を掛けない快適な映像表示を提供することができる。
【産業上の利用可能性】
【００４４】
本発明は、例えば、航空機や列車等の移動体内の座席に設置された端末モニタ装置の映像表示システムなどに利用することができ、特にリクライニング機能を有する座席の背もたれ部に設置された映像表示システムに有用である。
【符号の説明】
【００４５】
１０、１１  座席
１０ａ、１１ａ  背もたれ部
２０、２１  端末モニタ装置
３０  視聴者
３０ａ  頭部
３０ｂ  眼
４０  ヘッドホン
５０、５１  位置情報取得装置
６０、６１  接続ライン
１００  客室
２０１  制御部
２０２  表示部
３０１  距離算出部
３０２  表示画面選択部
３０３  表示判定部
３０４  表示制御部
３０５  表示デバイス
３０５ａ  表示画面
３０５ｂ  非表示領域
【図１】
2010285118.tif 000003
【図２】
2010285118.tif 000004
【図３】
2010285118.tif 000005
【図４】
2010285118.tif 000006
【図５】
2010285118.tif 000007
【図６】
2010285118.tif 000008